(57)【要約】【課題】  石積み擁壁は長い年月の間に崩れるものがある。また当初予定していない荷重により崩壊したり、巨大地震により崩壊することもある。この対策として石に孔をあけ、ここにアンカーボルト等を固定し、背面土にアンカーとして定着する方法があるがコストの面で問題がある。【解決手段】  石積み擁壁の石と石との間に袋状型枠に入れた、まだ固まる前のコンクリートを用い、このコンクリートにアンカーを挿入し、これを背面土に横方向にアンカーとして設置し、更にコンクリートが硬化の後又はコンクリートを吊上げて移動しても崩れない時に、コンクリートを袋状型枠と共に吊上げて移動して、袋状型枠を剥ぎ取り、コンクリートを元の位置に戻し設置する。【選択図】  図１
2014198990.tif 000002
【特許請求の範囲】
【請求項１】
横方向に並ぶ石と石との間、又は縦方向に重ねる石と石との間に袋状型枠に入れた、まだ固まる前のコンクリートを用い、このまだ固まる前のコンクリートは横方向又は縦方向に接する石の凹凸に合わせた形になり、噛み合わせ効果が働き又石と石との間隔より表面側が広い、くさび型になり、くさび効果が生じ土圧に対して有効に働き、更に、このまだ固まる前のコンクリートにアンカーを用い、これを背面土に横方向にアンカーとして設置するが、その方法は、このアンカーの背面土側の先端にアンカープレートとナット又はコンクリート塊を設置し土中に挿入し転圧して、アンカーとして使用し、まだ固まる前のコンクリートの硬化を待って背面の土圧及び上載荷重に安全に長期に耐えうる石積み擁壁
【請求項２】
請求項１に於いて袋状型枠に入れたコンクリートが硬化の後又はコンクリートを吊上げて移動しても崩れない時に、コンクリートを袋状型枠と共に吊上げて移動し、袋状型枠を剥ぎ取り、コンクリートを元の位置に戻し設置することにより、袋状型枠の無いコンクリートを用いた、請求項１に記載の、石積み擁壁
【発明の詳細な説明】
【技術分野】
【０００１】
この発明は道路及び宅地造成地などで構築する石積み擁壁に関する。
【背景技術】
【０００２】
石積みは古来より日本においてのみならず世界各地で構築されてきた代表的な構造物である。人類により構築された初期の構造物は、その主たる材料を自然、主として土壌から得ていた  といわれている。しかし残念ながら自然に崩壊するものがある。特に高さの中間部すなわち胴の部分が張り出すものが多い。また地震により崩れる場合もある。このため丸に近い石よりも胴長の石を求めて来たが胴長のものは数が少なく築城の場合に使用されている。また当初予定していない荷重が加わると次第に、崩壊するものもある。この対策として近年機械技術の発達により、石に孔をあけ、ここに鉄筋を固定し、この鉄筋をアンカーとして用いる例がある。その一例として特許文献１のものがある。
【先行技術文献】
【特許文献】
【０００３】
【特許文献１】特開２００１−３２３４３４号公報
【発明の概要】
【発明が解決しようとする課題】
【０００４】
前記の特許文献１のものは費用の増加が問題になる。石に削孔することはコンクリートより更に硬く、また削孔作業の安定も悪く作業能率も悪い。また石積み擁壁では石と石との噛み合わせが重要であるが、この作業を能率よく行うには、長年の経験と技量が必要である。
【課題を解決するための手段】
【０００５】
前記の課題を解決するために本願では、まだ固まる前のコンクリート又はモルタルを袋状型枠に入れて使用する方法を用いた。なお本願ではコンクリート又はモルタルを以下単にコンクリートと称する。まだ固まる前のコンクリートを単にコンクリートと称し、必要な時だけ、まだ固まる前のコンクリートとする。袋状型枠とは例えば土のうに土を詰める代りにコンクリートを詰めるか又は麻布、シート又はネットを風呂敷包みのように使用してこれでコンクリートを包みアルミ線、針金、紐又は留め具で止めて型枠として使用するものである。これらの大きさは任意であり例えば土のうであれば約５０ｃｍ×６０ｃｍが一般的であるが、これより大きいコンテナバックや、また小さいものもある。更にこのまだ固まる前のコンクリートにアンカーボルト又は鉄筋を挿入しコンクリートの硬化後これらをアンカーとして使用する。この袋状型枠を使用する方法は石に削孔する必要がない利点の他に胴長の石を使用するのと同等の効果がある。また石積み擁壁では石と石との噛み合わせが重要であるが石と石との噛み合わせでなく、石と袋状型枠の中の、まだ固まる前のコンクリートとの噛み合わせになり石の凹凸の形に合った袋状型枠の中のコンクリートを容易に作ることができ作業能率が非常よくなる。
【０００６】
これらについて図と共に説明する。図６に於いて石１の２は凹部である。袋状型枠３の中のコンクリート４は、まだ固まる前の時点で石１の凹部２に合った形の凸部５を石１の凹部２に横から押し当て横圧するすることにより容易に作ることができる。凸部についても図７に示すように石１に凸部６があり袋状型枠３の中の、まだ固まる前のコンクリート４を横圧すれば凹部７を容易に作ることができる。この図６及び図７に示したことを本願では噛み合わせ効果と称し特許請求の範囲の記載にも使用する。
【０００７】
次にくさび効果について説明する。図８に於いて左の石１及び右の石１をＬ１の間隔で設置する場合に袋状型枠３の中のまだ固まる前のコンクリート４を拡幅部Ｌ２すなわちＬ１より大きい寸法Ｌ２で設置すれば引っ張り力Ｔに対してくさび状になり、くさび効果が生じる。これを本願では、くさび効果と称し特許請求の範囲の記載にも使用する。
【０００８】
次に袋状型枠について説明する。普通サイズの一般的な土のうの場合について説明する。図９の（ａ）は元の状態で、この隅を破線の位置で縫って折り、重なる部分を接着して止める。これにより（ｂ）のようになる。次に内と外を反転して重なった部分を見えなくして（ｃ）のようにする。この後まだ固まる前のコンクリートを投入する。接着して止める目的は折り込んだ部分がコンクリートに挟み込まれることを防ぐ為である。麻布、シート又はネットを用いる場合は大型の茶碗状すなわちボウル状のものを用い、この上に麻布、シート又はネットを載せ、この中にまだ固まる前のコンクリートを入れ、コンクリートを包むように使用しアルミ線、針金、紐又は留め具で止める。麻布を風呂敷包みのように使用した場合の様子を図１３に示す。なお石の形状を本願では楕円形で示したが実際には例えば図１３の様である。これを模式的に楕円形で示した。石の間隔が外側の方が内側より広く、くさび効果が働いている。更に詳しく実施例１及び実施例２に示す。
【０００９】
次に本願の石積み擁壁の外観について説明する。袋状型枠３の麻布、シート又はネットは時間と共に紫外線等により劣化し、部分的に、剥げ落ちる。これを避けるため、コンクリート４から袋状型枠３を撤去する方法がある。これはコンクリート４が硬化の後又はコンクリート４を吊上げて移動しても崩れない、できるだけ早い時、例えば気温２０°Ｃ前後で６時間以内にコンクリート４を吊上げて移動して袋状型枠３を剥ぎ取り、元の位置に戻し設置する。コンクリート4が完全に硬化してからでは、作業にやや時間がかかる。麻布、シート又はネットの厚さ分だけ隙間が増加するが石１とコンクリート４との凹凸の噛み合わせ効果や、くさび効果の減少は無く、この石積み擁壁の安定は保持できる。更に詳しく実施例３に示す。
【発明の効果】
【００１０】
石に削孔せず、まだ固まる前のコンクリートにアンカーを設置し背面土に定着する方法であり、費用は安く、同時に石と石との噛み合わせも、石と石との噛み合わせでなく、石とまだ固まる前のコンクリートとの噛み合わせであり、噛み合わせがよく、強度も増す。噛み合わせ効果については段落(０００６)に、またくさび効果については段落(０００７)に示した。
【図面の簡単な説明】
【００１１】
【図１】アンカーを用いる場合の石積みの１段目の平面図である。
【図２】アンカーを用いる場合の石積みの側面図である。
【図３】アンカープレートの正面図である。
【図４】鉄筋及びコンクリート塊の側面図である。
【図５】コンクリート塊の正面図である。
【図６】本件発明の噛み合わせ効果について石に凹部がある場合の説明図である。
【図７】噛み合わせ効果について石に凸部がある場合の説明図である。
【図８】くさび効果の説明図である。
【図９】袋状型枠の説明図である。
【図１０】アンカーを用いない場合の石積みの１段目の平面図である。
【図１１】アンカーを用いない場合の石積みの側面図である。
【図１２】アンカーを用いない場合及び用いる場合の石積みの１段目及び２段目の正面図である。
【図１３】麻布を使用した場合の状態を示す図面代用写真ある。
【図１４】麻布をコンクリートから取り除いた状態を示す図面代用写真できる。
【発明を実施するための形態】
【実施例１】
【００１２】
石積み擁壁を新しく設置する位置又は修繕して設置する位置を決め土砂を掘削し締め固める。１つ目の石１Ａを設置し次に２つ目の石１Ｂを、袋状型枠３の中のコンクリート４の分あけて設置する。これを図１０に示す。図１０の左側の石１Ａには凹部があり、次の石１Ｂには凸部がある場合である。袋状型枠３にまだ固まる前のコンクリート４を、１つ目の石
１Ａと２つ目の石１Ｂとの間隔より大きくなるように詰め、１つ目の石１Ａと２つ目の石１Ｂとの間に、押込むように挿入する。この作業を繰り返し１段目の工事をする。図１０のＴは土圧に対する抵抗力を示し図８の、くさび効果を示している。次に２段目の作業に入り１段目の石１Ａと袋状型枠３のコンクリート４との両方の上に２段目の石１Ｃを設置する。この様子を図１２の正面図に示す。このあと１段目と同じ作業をする。３段目以降も同様の作業を行い袋状型枠３の中のコンクリート４の硬化後に土砂を埋め戻して石積み擁壁を完成する。これらの側面図を図１１に示す。これらの中の噛み合わせ効果は図６及び図７に示したものと同じである。また、くさび効果は図８に示したものと同じである。
【実施例２】
【００１３】
実施例１のコンクリート４にアンカーを設け背面に定着する場合である。実施例１と同様に石積み擁壁を新しく設置する位置又は修繕する位置を決め土砂を掘削し締め固め、１つ目の石１Ａを設置し次に２つ目の石１Ｂを、袋状型枠３の中のコンクリート４の分あけて設置する。袋状型枠３にまだ固まる前のコンクリート４を、１つ目の石１Ａと２つ目の石１Ｂとの間隔より大きくなるように詰め、このコンクリート４にアンカー８を設置し、背面土に定着する。コンクリート４にアンカーを定着する部分は具体的にはアンカーボルトにナットを用いたもの、異形鉄筋に半円形のフックを用いたもの、異形鉄筋に、かぎ形のフックを用いたものがある。背面土に定着する部分はアンカープレートとナットを用いたもの、既に固まったコンクリート塊を用いたものがある。土砂を１段目の石１の高さまで埋め戻し、転圧する。以後の作業は実施例１と同じである。２段目以降も同様の作業を行い袋状型枠３の中のコンクリート４の硬化後に土砂を埋め戻して石積み擁壁を完成する。これらを図１の平面図及び図２の側面図に示す。図１及び図２の場合はアンカー８にアンカーボルトを用いコンクリート４にナットで定着し、背面土にアンカープレートとナットで定着した場合である。アンカー８に異形鉄筋を用いコンクリート４の中に半円形のフックで定着し、背面土にコンクリート塊で定着した場合のアンカー８の様子を図４に示す。実施例１と同じく、噛み合わせ効果は図６及び図７に示したものと同じであり、くさび効果は図８に示したものと同じである。袋状型枠３に麻布を用いた様子を図１３に示す。この場合アンカーボルト８に短いアンカーボルトと高ナットを用い作業を容易にしている。留め具にはアルミ線を用いている。
【実施例３】
【００１４】
実施例２に於いて袋状型枠３に入れたコンクリート４が硬化の後又はコンクリート４を吊上げて移動しても崩れない、できるだけ早い時、例えば気温２０°Ｃ前後で６時間以内にコンクリート４を吊上げて移動して袋状型枠３を剥ぎ取り、元の位置に戻し設置する。高ナットにボルトを挿入して取り付けアンカーボルト８を延長しアンカープレート１０を取り付ける。このあとは実施例２と同じである。これにより、袋状型枠３の無いコンクリート４を用いた、石積み擁壁を作ることができる。袋状型枠３の麻布、シート又はネットが時間と共に紫外線等により劣化し、部分的に、剥げ落ちることが無く外観を損ねない。コンクリート4から袋状型枠3を剥ぎ取る前の状態を図１３に、取り外した後の状態を図１４に示す。この時アンカー８を当初短くし、後から高ナットにアンカーを延長して、作業を容易にしている。この作業を繰り返し実施するが、ある程度、数をまとめて実施すること、施工場所近くの仮小屋で実施すること、工場で作ること等がある。
【符号の説明】
【００１５】
１  石
２  石の凹部
３  袋状型枠
４  コンクリート
５  コンクリートの凸部
６  石の凸部
７  コンクリートの凹部
８  アンカーボルト
９  ナット
１０  アンカープレート
１１  鉄筋
１２  フック
１３  コンクリート塊
【図１】
2014198990.tif 000003
【図２】
2014198990.tif 000004
【図３】
2014198990.tif 000005
【図４】
2014198990.tif 000006
【図５】
2014198990.tif 000007
【図６】
2014198990.tif 000008
【図７】
2014198990.tif 000009
【図８】
2014198990.tif 000010
【図９】
2014198990.tif 000011
【図１０】
2014198990.tif 000012
【図１１】
2014198990.tif 000013
【図１２】
2014198990.tif 000014
【図１３】
2014198990.tif 000015
【図１４】
2014198990.tif 000016